【事件の表示】
　特許第４４４０２６５号に関する訂正審判事件について、次のとおり審決する。
【結　論】
　特許第４４４０２６５号に係る明細書及び図面を本件審判請求書に添付された訂正明細書及び図面のとおり訂正することを認める。
【理　由】
第１　請求の要旨　
　本件審判の請求の要旨は，特許第４４４０２６５号発明（日本国への平成１６年３月３０日付け特許出願に基づいた優先権主張を伴う，平成１７年３月２９日付け国際出願であって，平成２２年１月１５日に設定登録がなされた。）の明細書（以下，「特許明細書」という。）を審判請求書に添付した訂正明細書のとおり，すなわち，以下（１）〜（６）のとおり訂正することを求めるものである。　
（１）訂正事項１
　特許請求の範囲の請求項５における一部記載「前記前記」を「前記」に訂正する。
（２）訂正事項２
　特許請求の範囲の請求項６における一部記載「前記前記」を「前記」に訂正する。
（３）訂正事項３
　特許請求の範囲の請求項２２における一部記載「再送処理を具備しない」を「再送処理を具備する」に訂正する。
（４）訂正事項４
　特許請求の範囲の請求項２３における一部記載「再送処理を具備しない」を「再送処理を具備する」に訂正する。
（５）訂正事項５
　特許請求の範囲の請求項２４における一部記載「再送処理を具備しない」を「再送処理を具備する」に訂正する。
（６）訂正事項６
　特許請求の範囲の請求項２５における一部記載「再送処理を具備しない」を「再送処理を具備する」に訂正する。
（７）訂正事項７
　特許請求の範囲の請求項２６における一部記載「再送処理を具備しない」を「再送処理を具備する」に訂正する。
　　　
　なお，上記訂正に係る訂正前の請求項，及び（１）訂正事項１〜（７）訂正事項７により訂正された訂正後の各請求項は以下のとおりである。
　また，上記訂正に係る請求項で引用している請求項（請求項１），及び上記訂正に係る請求項を引用する形式で記載されている請求項（請求項７，１５〜２１）も摘記した。
（訂正前）
「【請求項１】
　第１通信装置と第２通信装置とから構成される通信システムであって，
　前記第１通信装置は，
　第１通信路を介して，コンテンツを格納したマルチキャストフレームを受信する第１コンテンツ受信手段と，
　受信されたマルチキャストフレームを前記第２通信装置宛てのユニキャストフレームに変換する変換手段と，
　変換されたユニキャストフレームを，無線の第２通信路を介して，再送処理を具備するプロトコルで，前記第２通信装置に送信する第１コンテンツ送信手段とを備え，
　前記第２通信装置は，
　前記第２通信路を介して，前記第１通信装置から送信されてくるユニキャストフレームを，再送処理を具備するプロトコルで受信する第２コンテンツ受信手段を備え，
　前記再送処理は，前記マルチキャストを規定する通信プロトコルのレイヤよりも下位のレイヤで行われる
　ことを特徴とする通信システム。
・・・・中略・・・
【請求項５】
　前記第２通信装置はさらに，コンテンツを受信したい旨を前記第１通信装置に要求する第２コンテンツ要求手段を備え，
　前記第１通信装置はさらに，前記第２通信装置からのコンテンツ要求を受信する第１コンテンツ要求受信手段を備え，
　前記第１コンテンツ受信手段は，前記第１通信路を介して送信されてくるマルチキャストフレームの中から，前記前記第１コンテンツ要求受信手段が受信したコンテンツ要求に対応するコンテンツを格納したマルチキャストフレームを抽出して受信する
　ことを特徴とする請求項１記載の通信システム。
【請求項６】
　前記通信システムは，複数の前記第２通信装置を備え，
　前記第１コンテンツ要求受信手段は，複数の前記第２通信装置からコンテンツ要求を受信し，
　前記第１コンテンツ受信手段は，前記第１通信路を介して送信されてくるマルチキャストフレームの中から，前記前記第１コンテンツ要求受信手段が受信した複数のコンテンツ要求に対応する複数のコンテンツに対応するマルチキャストフレームを抽出して受信し，
　前記変換手段は，前記第１コンテンツ受信手段によって受信された複数のコンテンツに対応するマルチキャストフレームを要求元の複数の前記第２通信装置宛てのユニキャストフレームに変換し，
　前記第１コンテンツ送信手段は，前記変換手段によって変換されたユニキャストフレームを複数の前記第２通信装置に送信する
　ことを特徴とする請求項５記載の通信システム。
【請求項７】
　前記第１通信装置はさらに，第１コンテンツ受信手段によって受信されたマルチキャストフレームに含まれる複数のコンテンツのうち，複数の前記第２通信装置から要求されたコンテンツを複製する第１コンテンツ複製手段を備え，
　前記変換手段は，前記第１コンテンツ複製手段によって複製された複数の同一コンテンツに対応するマルチキャストフレームを要求元の複数の前記第２通信装置宛てのユニキャストフレームに変換し，
　前記第１コンテンツ送信手段は，前記変換手段によって変換されたユニキャストフレームを要求元の複数の前記第２通信装置に送信する
　ことを特徴とする請求項６記載の通信システム。
・・・・中略・・・
【請求項１５】
　受信装置にコンテンツを伝送する送信装置であって，
　第１通信路を介して，コンテンツを格納したマルチキャストフレームを受信する第１コンテンツ受信手段と，
　受信されたマルチキャストフレームを前記受信装置宛てのユニキャストフレームに変換する変換手段と，
　変換されたユニキャストフレームを，無線の第２通信路を介して，再送処理を具備するプロトコルで，前記受信装置に送信する第１コンテンツ送信手段とを備え，
　前記再送処理は，前記マルチキャストを規定する通信プロトコルのレイヤよりも下位のレイヤで行われる
　ことを特徴とする送信装置。
【請求項１６】
　送信装置から送られてくるコンテンツを受信する受信装置であって，
　無線の第２通信路を介して，前記送信装置から送信されてくるユニキャストフレームを，再送処理を具備するプロトコルで受信する第２コンテンツ受信手段と，
　前記第２コンテンツ受信手段によって受信されたユニキャストフレームをマルチキャストフレームに変換する変換手段を備え，
　前記再送処理は，前記マルチキャストを規定する通信プロトコルのレイヤよりも下位のレイヤで行われる
　ことを特徴とする受信装置。
【請求項１７】
　前記送信装置は，
　第１通信路を介して，コンテンツを格納したマルチキャストフレームを受信する第１コンテンツ受信手段と，
　受信されたマルチキャストフレームを前記受信装置宛てのユニキャストフレームに変換する変換手段と，
　変換されたユニキャストフレームを，前記第２通信路を介して，再送処理を具備するプロトコルで，前記受信装置に送信する第１コンテンツ送信手段とを備えている
　ことを特徴とする請求項１６記載の受信装置。
【請求項１８】
　受信装置にコンテンツを伝送する通信方法であって，
　第１通信路を介して，コンテンツを格納したマルチキャストフレームを受信する第１コンテンツ受信ステップと，
　受信されたマルチキャストフレームを前記受信装置宛てのユニキャストフレームに変換する変換ステップと，
　変換されたユニキャストフレームを，無線の第２通信路を介して，再送処理を具備するプロトコルで，前記受信装置に送信する第１コンテンツ送信ステップと
　を含み，
　前記再送処理は，前記マルチキャストを規定する通信プロトコルのレイヤよりも下位のレイヤで行われる
　ことを特徴とする通信方法。
【請求項１９】
　航空機内で座席にコンテンツを配信する航空機コンテンツ配信システムであって，
　第１通信装置と第２通信装置とから構成され，
　前記第１通信装置は，
　無線の第１通信路を介して，地上から送信されてくる，コンテンツを格納したマルチキャストフレームを受信する第１コンテンツ受信手段と，
　受信されたマルチキャストフレームを前記第２通信装置宛てのユニキャストフレームに変換する変換手段と，
　変換されたユニキャストフレームを，無線の第２通信路を介して，再送処理を具備するプロトコルで，前記第２通信装置に送信する第１コンテンツ送信手段とを備え，
　前記第２通信装置は，
　前記第２通信路を介して，前記第１通信装置から送信されてくるユニキャストフレームを，再送処理を具備するプロトコルで受信する第２コンテンツ受信手段と，
　前記第２コンテンツ受信手段によって受信されたユニキャストフレームに含まれるコンテンツを前記座席に送信する第２コンテンツ送信手段とを備え，
　前記再送処理は，前記マルチキャストを規定する通信プロトコルのレイヤよりも下位のレイヤで行われる
　ことを特徴とする航空機コンテンツ配信システム。
【請求項２０】
　第１通信装置と第２通信装置とから構成される通信システムにおける通信方法であって，
　前記第１通信装置が，第１通信路を介して，コンテンツを格納したマルチキャストフレームを受信する第１コンテンツ受信ステップと，
　前記第１通信装置が，受信されたマルチキャストフレームを前記第２通信装置宛てのユニキャストフレームに変換する変換ステップと，
　前記第１通信装置が，変換されたユニキャストフレームを，無線の第２通信路を介して，再送処理を具備するプロトコルで，前記第２通信装置に送信する第１コンテンツ送信ステップと，
　前記第２通信装置が，前記第２通信路を介して，前記第１通信装置から送信されてくるユニキャストフレームを，再送処理を具備するプロトコルで受信する第２コンテンツ受信ステップとを含み，
　前記再送処理は，前記マルチキャストを規定する通信プロトコルのレイヤよりも下位のレイヤで行われる
　ことを特徴とする通信方法。
【請求項２１】
　送信装置から送られてくるコンテンツを受信する受信装置による通信方法であって，
　無線の第２通信路を介して，前記送信装置から送信されてくるユニキャストフレームを，再送処理を具備するプロトコルで受信する第２コンテンツ受信ステップと，
　前記第２コンテンツ受信ステップによって受信されたユニキャストフレームをマルチキャストフレームに変換する変換ステップとを含み，
　前記再送処理は，前記マルチキャストを規定する通信プロトコルのレイヤよりも下位のレイヤで行われる
　ことを特徴とする通信方法。
【請求項２２】
　前記マルチキャストを規定する通信プロトコルは，ＩＰ（Ｉｎｔｅｒｎｅｔ　Ｐｒｏｔｏｃｏｌ）であり，
　前記再送処理を具備しないプロトコルは，ＭＡＣ（Ｍｅｄｉａ　Ａｃｃｅｓｓ　Ｃｏｎｔｒｏｌ）レイヤのプロトコルである
　ことを特徴とする請求項１記載の通信システム。
【請求項２３】
　前記マルチキャストを規定する通信プロトコルは，ＩＰ（Ｉｎｔｅｒｎｅｔ　Ｐｒｏｔｏｃｏｌ）であり，
　前記再送処理を具備しないプロトコルは，ＭＡＣ（Ｍｅｄｉａ　Ａｃｃｅｓｓ　Ｃｏｎｔｒｏｌ）レイヤのプロトコルである
　ことを特徴とする請求項１５記載の送信装置。
【請求項２４】
　前記マルチキャストを規定する通信プロトコルは，ＩＰ（Ｉｎｔｅｒｎｅｔ　Ｐｒｏｔｏｃｏｌ）であり，
　前記再送処理を具備しないプロトコルは，ＭＡＣ（Ｍｅｄｉａ　Ａｃｃｅｓｓ　Ｃｏｎｔｒｏｌ）レイヤのプロトコルである
　ことを特徴とする請求項１６記載の受信装置。
【請求項２５】
　前記マルチキャストを規定する通信プロトコルは，ＩＰ（Ｉｎｔｅｒｎｅｔ　Ｐｒｏｔｏｃｏｌ）であり，
　前記再送処理を具備しないプロトコルは，ＭＡＣ（Ｍｅｄｉａ　Ａｃｃｅｓｓ　Ｃｏｎｔｒｏｌ）レイヤのプロトコルである
　ことを特徴とする請求項１８，２０又は２１記載の通信方法。
【請求項２６】
　前記マルチキャストを規定する通信プロトコルは，ＩＰ（Ｉｎｔｅｒｎｅｔ　Ｐｒｏｔｏｃｏｌ）であり，
　前記再送処理を具備しないプロトコルは，ＭＡＣ（Ｍｅｄｉａ　Ａｃｃｅｓｓ　Ｃｏｎｔｒｏｌ）レイヤのプロトコルである
　ことを特徴とする請求項１９記載の航空機コンテンツ配信システム。」
　
（訂正後）
「【請求項１】
　第１通信装置と第２通信装置とから構成される通信システムであって，
　前記第１通信装置は，
　第１通信路を介して，コンテンツを格納したマルチキャストフレームを受信する第１コンテンツ受信手段と，
　受信されたマルチキャストフレームを前記第２通信装置宛てのユニキャストフレームに変換する変換手段と，
　変換されたユニキャストフレームを，無線の第２通信路を介して，再送処理を具備するプロトコルで，前記第２通信装置に送信する第１コンテンツ送信手段とを備え，
　前記第２通信装置は，
　前記第２通信路を介して，前記第１通信装置から送信されてくるユニキャストフレームを，再送処理を具備するプロトコルで受信する第２コンテンツ受信手段を備え，
　前記再送処理は，前記マルチキャストを規定する通信プロトコルのレイヤよりも下位のレイヤで行われる
　ことを特徴とする通信システム。
・・・・中略・・・
【請求項５】
　前記第２通信装置はさらに，コンテンツを受信したい旨を前記第１通信装置に要求する第２コンテンツ要求手段を備え，
　前記第１通信装置はさらに，前記第２通信装置からのコンテンツ要求を受信する第１コンテンツ要求受信手段を備え，
　前記第１コンテンツ受信手段は，前記第１通信路を介して送信されてくるマルチキャストフレームの中から，
前記
　ことを特徴とする請求項１記載の通信システム。
【請求項６】
　前記通信システムは，複数の前記第２通信装置を備え，
　前記第１コンテンツ要求受信手段は，複数の前記第２通信装置からコンテンツ要求を受信し，
　前記第１コンテンツ受信手段は，前記第１通信路を介して送信されてくるマルチキャストフレームの中から，
前記
　前記変換手段は，前記第１コンテンツ受信手段によって受信された複数のコンテンツに対応するマルチキャストフレームを要求元の複数の前記第２通信装置宛てのユニキャストフレームに変換し，
　前記第１コンテンツ送信手段は，前記変換手段によって変換されたユニキャストフレームを複数の前記第２通信装置に送信する
　ことを特徴とする請求項５記載の通信システム。
【請求項７】
　前記第１通信装置はさらに，第１コンテンツ受信手段によって受信されたマルチキャストフレームに含まれる複数のコンテンツのうち，複数の前記第２通信装置から要求されたコンテンツを複製する第１コンテンツ複製手段を備え，
　前記変換手段は，前記第１コンテンツ複製手段によって複製された複数の同一コンテンツに対応するマルチキャストフレームを要求元の複数の前記第２通信装置宛てのユニキャストフレームに変換し，
　前記第１コンテンツ送信手段は，前記変換手段によって変換されたユニキャストフレームを要求元の複数の前記第２通信装置に送信する
　ことを特徴とする請求項６記載の通信システム。
・・・・中略・・・
【請求項１５】
　受信装置にコンテンツを伝送する送信装置であって，
　第１通信路を介して，コンテンツを格納したマルチキャストフレームを受信する第１コンテンツ受信手段と，
　受信されたマルチキャストフレームを前記受信装置宛てのユニキャストフレームに変換する変換手段と，
　変換されたユニキャストフレームを，無線の第２通信路を介して，再送処理を具備するプロトコルで，前記受信装置に送信する第１コンテンツ送信手段とを備え，
　前記再送処理は，前記マルチキャストを規定する通信プロトコルのレイヤよりも下位のレイヤで行われる
　ことを特徴とする送信装置。
【請求項１６】
　送信装置から送られてくるコンテンツを受信する受信装置であって，
　無線の第２通信路を介して，前記送信装置から送信されてくるユニキャストフレームを，再送処理を具備するプロトコルで受信する第２コンテンツ受信手段と，
　前記第２コンテンツ受信手段によって受信されたユニキャストフレームをマルチキャストフレームに変換する変換手段を備え，
　前記再送処理は，前記マルチキャストを規定する通信プロトコルのレイヤよりも下位のレイヤで行われる
　ことを特徴とする受信装置。
【請求項１７】
　前記送信装置は，
　第１通信路を介して，コンテンツを格納したマルチキャストフレームを受信する第１コンテンツ受信手段と，
　受信されたマルチキャストフレームを前記受信装置宛てのユニキャストフレームに変換する変換手段と，
　変換されたユニキャストフレームを，前記第２通信路を介して，再送処理を具備するプロトコルで，前記受信装置に送信する第１コンテンツ送信手段とを備えている
　ことを特徴とする請求項１６記載の受信装置。
【請求項１８】
　受信装置にコンテンツを伝送する通信方法であって，
　第１通信路を介して，コンテンツを格納したマルチキャストフレームを受信する第１コンテンツ受信ステップと，
　受信されたマルチキャストフレームを前記受信装置宛てのユニキャストフレームに変換する変換ステップと，
　変換されたユニキャストフレームを，無線の第２通信路を介して，再送処理を具備するプロトコルで，前記受信装置に送信する第１コンテンツ送信ステップと
　を含み，
　前記再送処理は，前記マルチキャストを規定する通信プロトコルのレイヤよりも下位のレイヤで行われる
　ことを特徴とする通信方法。
【請求項１９】
　航空機内で座席にコンテンツを配信する航空機コンテンツ配信システムであって，
　第１通信装置と第２通信装置とから構成され，
　前記第１通信装置は，
　無線の第１通信路を介して，地上から送信されてくる，コンテンツを格納したマルチキャストフレームを受信する第１コンテンツ受信手段と，
　受信されたマルチキャストフレームを前記第２通信装置宛てのユニキャストフレームに変換する変換手段と，
　変換されたユニキャストフレームを，無線の第２通信路を介して，再送処理を具備するプロトコルで，前記第２通信装置に送信する第１コンテンツ送信手段とを備え，
　前記第２通信装置は，
　前記第２通信路を介して，前記第１通信装置から送信されてくるユニキャストフレームを，再送処理を具備するプロトコルで受信する第２コンテンツ受信手段と，
　前記第２コンテンツ受信手段によって受信されたユニキャストフレームに含まれるコンテンツを前記座席に送信する第２コンテンツ送信手段とを備え，
　前記再送処理は，前記マルチキャストを規定する通信プロトコルのレイヤよりも下位のレイヤで行われる
　ことを特徴とする航空機コンテンツ配信システム。
【請求項２０】
　第１通信装置と第２通信装置とから構成される通信システムにおける通信方法であって，
　前記第１通信装置が，第１通信路を介して，コンテンツを格納したマルチキャストフレームを受信する第１コンテンツ受信ステップと，
　前記第１通信装置が，受信されたマルチキャストフレームを前記第２通信装置宛てのユニキャストフレームに変換する変換ステップと，
　前記第１通信装置が，変換されたユニキャストフレームを，無線の第２通信路を介して，再送処理を具備するプロトコルで，前記第２通信装置に送信する第１コンテンツ送信ステップと，
　前記第２通信装置が，前記第２通信路を介して，前記第１通信装置から送信されてくるユニキャストフレームを，再送処理を具備するプロトコルで受信する第２コンテンツ受信ステップとを含み，
　前記再送処理は，前記マルチキャストを規定する通信プロトコルのレイヤよりも下位のレイヤで行われる
　ことを特徴とする通信方法。
【請求項２１】
　送信装置から送られてくるコンテンツを受信する受信装置による通信方法であって，
　無線の第２通信路を介して，前記送信装置から送信されてくるユニキャストフレームを，再送処理を具備するプロトコルで受信する第２コンテンツ受信ステップと，
　前記第２コンテンツ受信ステップによって受信されたユニキャストフレームをマルチキャストフレームに変換する変換ステップとを含み，
　前記再送処理は，前記マルチキャストを規定する通信プロトコルのレイヤよりも下位のレイヤで行われる
　ことを特徴とする通信方法。
【請求項２２】
　前記マルチキャストを規定する通信プロトコルは，ＩＰ（Ｉｎｔｅｒｎｅｔ　Ｐｒｏｔｏｃｏｌ）であり，
　前記再送処理を具備
する
　ことを特徴とする請求項１記載の通信システム。
【請求項２３】
　前記マルチキャストを規定する通信プロトコルは，ＩＰ（Ｉｎｔｅｒｎｅｔ　Ｐｒｏｔｏｃｏｌ）であり，
　前記再送処理を具備
する
　ことを特徴とする請求項１５記載の送信装置。
【請求項２４】
　前記マルチキャストを規定する通信プロトコルは，ＩＰ（Ｉｎｔｅｒｎｅｔ　Ｐｒｏｔｏｃｏｌ）であり，
　前記再送処理を具備
する
　ことを特徴とする請求項１６記載の受信装置。
【請求項２５】
　前記マルチキャストを規定する通信プロトコルは，ＩＰ（Ｉｎｔｅｒｎｅｔ　Ｐｒｏｔｏｃｏｌ）であり，
　前記再送処理を具備
する
　ことを特徴とする請求項１８，２０又は２１記載の通信方法。
【請求項２６】
　前記マルチキャストを規定する通信プロトコルは，ＩＰ（Ｉｎｔｅｒｎｅｔ　Ｐｒｏｔｏｃｏｌ）であり，
　前記再送処理を具備
する
　ことを特徴とする請求項１９記載の航空機コンテンツ配信システム。」（下線箇所が訂正箇所である。）
　　　
第２　当審の判断　
１．訂正の目的の適否，新規事項の有無，及び拡張・変更の存否について　
　
（１）訂正事項１について
　訂正前の【請求項５】の「前記前記第１コンテンツ要求受信手段」との記載における「前記前記」は，日本語の語法として明らかに誤記であるから，誤記の訂正を目的としたものである。また，願書に添付した明細書，特許請求の範囲又は図面（以下，「当初明細書等」という。）に記載した事項の範囲内においてしたものであること，及び実質上特許請求の範囲を拡張し，又は変更するものでもないことも，明らかである。
　
（２）訂正事項２について
　上記「（１）訂正事項１について」と全く同様の理由で，訂正事項２も，単なる誤記の訂正というべきであって，当初明細書等に記載した事項の範囲内においてしたもので，実質上特許請求の範囲を拡張し，又は変更するものでもない。
　
（３）訂正事項３について
　訂正前の請求項２２には，ａ）「前記マルチキャストを規定する通信プロトコル」，とｂ）「前記再送処理を具備しないプロトコル」との２つのプロトコルが，請求項１を引用する形式で記載されているが，引用されている請求項１の「第１通信路を介して，コンテンツを格納したマルチキャストフレーム」との記載からして，ａ）に相当するプロトコルは第１通信路の通信の取決めを意味していることは明らかである。
　一方，訂正のない請求項１には，他の通信路として「第２通信路」の記載しかなく，そこでは「変換されたユニキャストフレームを，無線の第２通信路を介して，再送処理を具備するプロトコルで，前記第２通信装置に送信する」あるいは「前記第２通信路を介して，前記第１通信装置から送信されてくるユニキャストフレームを，再送処理を具備するプロトコルで受信する」と記載されているように，「再送処理を具備する」旨規定されている。
　そして，例えば，当初明細書の実施の形態１である，段落【００５５】〜【０１０６】に開示されているように，ユニキャストフレームを伝送する「第２通信路」は「再送処理を具備する」ものであり，その他のどの実施例を見ても，「第２通信路」は「再送処理を具備する」ものとして記載されている。
　また，訂正後もそのまま記載されている請求項３の「ＭＡＣ（Ｍｅｄｉａ　Ａｃｃｅｓｓ　Ｃｏｎｔｒｏｌ）レイヤのプロトコル」は当初明細書から一貫して，「再送処理を具備する」ものとして開示されている。
　したがって，これらの記載事項を総合的に勘案すると，訂正前の特許請求の範囲の請求項２２における「再送処理を具備しない」は「再送処理を具備する」の明らかな誤記である。
　また，当初明細書等に記載した事項の範囲内においてしたことは自明であり，実質上特許請求の範囲を拡張し，又は変更するものでもないことも自明である。
　
（３）訂正事項４〜７について
　　上記「（３）訂正事項３について」と全く同様の理由で，訂正事項４〜７も，単なる誤記の訂正というべきであって，当初明細書等に記載した事項の範囲内においてしたもので，実質上特許請求の範囲を拡張し，又は変更するものでもない。
　以上のとおりであるから，上記訂正事項１〜７は，特許法第１２６条第１項第２号に揚げる事項を目的とし，第２項乃至第４項の規定に適合する。
　
２．独立特許要件について　
　訂正後の特許請求の範囲の請求項１〜２６に係る発明が，特許出願の際独立して特許を受けることができるものか否かについて検討する。　
　本件特許の出願の審査において，以下の文献１〜６を引用して，本願請求項１〜２６に係る発明は，これらの引用文献に開示された発明に基づいて，容易に発明できるとした，特許法第２９条第２項の規定による拒絶理由が通知されている。
　１．特開２００１−１７７５２３号公報
　２．特開２００２−２９０４００号公報
　３．特開２００１−２４４９７６号公報
　４．特開２００１−２３０７７４号公報
　５．特開２００２−３３０４６９号公報
　６．特開２００３−１９８４８９号公報
　しかし，訂正後の特許請求の範囲の請求項１〜２６は，「前記再送処理は，前記マルチキャストを規定する通信プロトコルのレイヤよりも下位のレイヤで行われる」と構成を備えており，係る構成は引用文献１〜６に見出すことはできず，また，これら引用文献の記載内容を組み合わせても，さらに，この分野で知られた周知技術を参酌しても，容易に発明できたものとすることはできない。
　そして，本件特許に対し，無効の審判は請求されておらず，他に特許出願の際独立して特許を受けることができないとすべき理由も見当たらない。　
　したがって，訂正後の特許請求の範囲の請求項１〜２６に係る発明は，特許法第１２６条第５項の規定に適合する。
　
第３　むすび　
　したがって，本件審判の請求は，特許法第１２６条第１項乃至第５項の規定に適合するものである。
　
　よって，結論のとおり審決する